【事件の表示】
　特許第５７４５３３６号に関する訂正審判事件について、次のとおり審決する。
【結　論】
　特許第５７４５３３６号に係る明細書、特許請求の範囲を本件審判請求書に添付された訂正明細書、特許請求の範囲のとおり訂正することを認める。
【理　由】
１　手続の経緯 
　本件審判請求に係る特許第５７４５３３６号（以下「本件特許」という。）は、平成２３年５月２０日に特願２０１１−１１３４４７号として出願されたものであって、平成２７年５月１５日にその特許権の設定登録がなされ、平成２７年７月８日に本件訂正審判の請求がなされたものである。
　 
２　請求の趣旨 
　本件審判の請求の趣旨は、本件特許の願書に添付した明細書、特許請求の範囲を審判請求書に添付した訂正明細書、特許請求の範囲のとおり訂正することを認めるとの審決を求めるものである（以下、本件特許の特許請求の範囲を「本件特許請求の範囲」といい、願書に添付した明細書、特許請求の範囲又は図面を「願書に添付した明細書等」という。また、下線部は訂正部分である。）。 
　
３　訂正の内容
（１）訂正事項１ 
　本件特許請求の範囲の請求項２における
「前記入力情報は、該出力手段によって出力された前記出力情報から前記管理装置によって特定され蓄積された前記端数が前記所定値に達したことにより更新された前記特別情報は特定可能である」を、
「前記入力情報は、該出力手段によって出力された前記出力情報から前記管理装置によって特定され蓄積された前記端数が前記所定値に達したことにより更新された前記特別情報
を
　
（２）訂正事項２
　本件特許請求の範囲の請求項３における
「遊技者による所定の開始操作がなされてから前記所定の終了操作がなされるまでの遊技期間の遊技の内容に応じて数値情報を更新する数値更新手段と、」を、
「遊技者による所定の開始操作がなされてか
ら所
　
（３）訂正事項３
　本件特許請求の範囲の請求項３における
「前記入力情報は、該出力手段によって出力された前記出力情報に基づいて前記管理装置によって蓄積された前記数値情報が前記所定値に達するごとに更新された前記特別情報は特定可能である」を
「前記入力情報は、該出力手段によって出力された前記出力情報に基づいて前記管理装置によって蓄積された前記数値情報が前記所定値に達するごとに更新された前記特別情報
を
　
（４）訂正事項４
　願書に添付した明細書の段落【００２２】の
「前記入力情報は、該出力手段によって出力された前記出力情報から前記管理装置によって特定され蓄積された前記端数が前記所定値に達したことにより更新された前記特別情報は特定可能であることを特徴とする。」を
「前記入力情報は、該出力手段によって出力された前記出力情報から前記管理装置によって特定され蓄積された前記端数が前記所定値に達したことにより更新された前記特別情報
を
　
（５）訂正事項５
　願書に添付した明細書の段落【００２４】の
「遊技者による所定の開始操作がなされてから前記所定の終了操作がなされるまでの遊技期間の遊技の内容に応じて数値情報を更新する数値更新手段と、」を、
「遊技者による所定の開始操作がなされてか
ら所
　
（６）訂正事項６
　願書に添付した明細書の段落【００２４】の
「前記入力情報は、該出力手段によって出力された前記出力情報に基づいて前記管理装置によって蓄積された前記数値情報が前記所定値に達するごとに更新された前記特別情報は特定可能であることを特徴とする。」を
「前記入力情報は、該出力手段によって出力された前記出力情報に基づいて前記管理装置によって蓄積された前記数値情報が前記所定値に達するごとに更新された前記特別情報
を
　
（７）訂正事項７
　願書に添付した明細書の段落【０９２４】の
「前記入力情報は、該出力手段によって出力された前記出力情報から前記管理装置によって特定され蓄積された前記端数が前記所定値に達したことにより更新された前記特別情報は特定可能であることを特徴とする。」を
「前記入力情報は、該出力手段によって出力された前記出力情報から前記管理装置によって特定され蓄積された前記端数が前記所定値に達したことにより更新された前記特別情報
を
　
（８）訂正事項８
　願書に添付した明細書の段落【０９２６】の
「遊技者による所定の開始操作がなされてから前記所定の終了操作がなされるまでの遊技期間の遊技の内容に応じて数値情報を更新する数値更新手段と、」を、
「遊技者による所定の開始操作がなされてか
ら所
　
（９）訂正事項９
　願書に添付した明細書の段落【０９２６】の
「前記入力情報は、該出力手段によって出力された前記出力情報に基づいて前記管理装置によって蓄積された前記数値情報が前記所定値に達するごとに更新された前記特別情報は特定可能であることを特徴とする。」を
「前記入力情報は、該出力手段によって出力された前記出力情報に基づいて前記管理装置によって蓄積された前記数値情報が前記所定値に達するごとに更新された前記特別情報
を
　
４　当審の判断 
（１）訂正事項１について
ア．訂正の目的
　本件特許請求の範囲の請求項２の「前記入力情報は、該出力手段によって出力された前記出力情報から前記管理装置によって特定され蓄積された前記端数が前記所定値に達したことにより更新された前記特別情報は特定可能である」の記載において、「前記特別情報は特定可能である」とは、何を特定可能であるのか不明瞭な記載となっていた。
　願書に添付した明細書には、「遊技履歴に応じて更新される特別情報（たとえば、レベル，レベル相当する称号）を特定するための入力情報（たとえば、パスワード）を発行する発行手段」（段落【０００６】参照）、「遊技履歴に応じて更新されるレベルなどの特別情報を特定するためのパスワードなどの入力情報が発行される。」（段落【０３４０】）と記載されており、これらの記載から、入力情報は、特別情報（レベル）を特定可能であることは明らかである。
　よって、訂正事項１は、特別情報を特定可能であることを明瞭にするものであるから、明瞭でない記載の釈明を目的とするものである。
　
イ．新規事項の有無及び特許請求の範囲の拡張又は変更について
　そして、訂正事項１は、上記のとおり、願書に添付した明細書等の記載に基づくものであるから、願書に添付した明細書等のすべてを総合することにより導かれる技術的事項との関係において新たな技術的事項を導入するものではなく、願書に添付した明細書等に記載した事項の範囲内においてされたものである。
　また、訂正の前後で特許請求の範囲に記載された発明の拡張又は変更はないから、実質上特許請求の範囲を拡張し、又は変更するものでもない。
　
　よって、訂正事項１は、特許法第１２６条第１項ただし書第３号に該当し、同法第１２６条第５項及び第６項の規定に適合するものである。
　
（２）訂正事項２について
　本件特許請求の範囲の請求項３における「前記所定の終了操作」の記載の前に「所定の終了操作」との語が前記されていないため、不明瞭となっていた。
　訂正事項２は、「前記所定の終了操作」を「所定の終了操作」に訂正するものであるから、明瞭でない記載の釈明を目的とするものである。
　そして、訂正事項２は、願書に添付した明細書等のすべてを総合することにより導かれる技術的事項との関係において新たな技術的事項を導入するものではなく、願書に添付した明細書等の範囲内においてされたものであり、実質上特許請求の範囲を拡張し、又は変更するものでもない。
　よって、訂正事項２は、特許法第１２６条第１項ただし書第３号に該当し、同法第１２６条第５項及び第６項の規定に適合するものである。
　
（３）訂正事項３について
　本件特許請求の範囲の請求項３の「前記入力情報は、該出力手段によって出力された前記出力情報に基づいて前記管理装置によって蓄積された前記数値情報が前記所定値に達するごとに更新された前記特別情報は特定可能である」の記載において、「前記特別情報は特定可能である」とは、何を特定可能であるのか不明瞭な記載となっていた。
　訂正事項３は、訂正事項１と同様の理由により、特別情報を特定可能であることを明瞭にするものであるから、明瞭でない記載の釈明を目的とするものである。
　そして、訂正事項３は、願書に添付した明細書等のすべてを総合することにより導かれる技術的事項との関係において新たな技術的事項を導入するものではなく、願書に添付した明細書等の範囲内においてされたものであり、実質上特許請求の範囲を拡張し、又は変更するものでもない。
　よって、訂正事項３は、特許法第１２６条第１項ただし書第３号に該当し、同法第１２６条第５項及び第６項の規定に適合するものである。
　
（４）訂正事項４〜９について
　訂正事項４〜９は、訂正事項１〜３のとおりに訂正することに伴い、訂正された請求項２、３との整合を図るために、願書に添付した明細書のうち関連する発明の詳細な説明の記載を訂正するものであるから、明瞭でない記載の釈明を目的とするものである。
　そして、訂正事項４〜９は、願書に添付した明細書等の範囲内においてされたものであり、実質上特許請求の範囲を拡張し、又は変更するものでもない。
　よって、訂正事項４〜９は、特許法第１２６条第１項ただし書第３号に該当し、同法第１２６条第５項及び第６項の規定に適合するものである。
　
５　むすび
　以上のとおりであるから、本件審判請求に係る訂正は、特許法第１２６条第１項ただし書き第３号に掲げる事項を目的とし、かつ、同条第５項及び第６項の規定にも適合する。
　よって、結論のとおり審決する。